(57)【特許請求の範囲】
【請求項１】
中空部を有する床材の上部に接合手段を介して柱材が接合された床材と柱材の接合構造において、
前記接合手段は、前記床材の上下にそれぞれ設けられた床上部材と床下部材と、前記床材に挿通されて前記床上部材と床下部材とを連結することにより、該床上部材と床下部材とを前記床材に、それを挟持した状態で固定する連結部材と、前記床上部材に設けられ、前記柱材に固定される柱固定部と、を備え、
この柱固定部に柱材が固定されており、
前記床材の両側のうち少なくとも一方の側方に、前記床材とともに床面を形成する他の床材が配設され、前記床下部材は、前記他の床材の下部に延出され該他の床材の下面に当接していることを特徴とする床材と柱材の接合構造。
【請求項２】
中空部を有する床材の上部に接合手段を介して柱材が接合された床材と柱材の接合構造において、
前記接合手段は、前記床材の上下にそれぞれ設けられた床上部材と床下部材と、前記床材に挿通されて前記床上部材と床下部材とを連結することにより、該床上部材と床下部材とを前記床材に、それを挟持した状態で固定する連結部材と、前記床上部材に設けられ、前記柱材に固定される柱固定部と、を備え、
この柱固定部に柱材が固定されており、
前記連結部材はＵ字状に形成され、該Ｕ字状の連結部材の中央部が前記床上部材に係止される上端部となり、前記中央部の両側から該中央部の延在方向とほぼ直交するように互いに平行に延出され、且つ前記床材に挿通された両腕部の先端部が前記床下部材に締結されていることを特徴とする床材と柱材の接合構造。
【請求項３】
請求項１または２記載の床材と柱材の接合構造において、
前記柱材は該柱材の軸方向に延在する中空部を有し、
前記床上部材及び柱固定部は、前記柱材の中空部内に配置され、
前記柱固定部は、前記中空部を囲む内周壁に固定され、
前記連結部材は、前記床上部材の上方から該床上部材及び前記床材に挿通され、上端部が前記床上部材に係止されるとともに、下端部が前記床下部材に固定されていることを特徴とする床材と柱材の接合構造。
【請求項４】
請求項３記載の床材と柱材の接合構造において、
前記柱固定部は、前記柱材の中空部に挿通されて該中空部を囲む前記柱材下端部の内周壁に当接して固定される外周壁を備えたことを特徴とする床材と柱材との接合構造。
【請求項５】
請求項１〜４のいずれかに記載の床材と柱材の接合構造において、
前記柱材の側方には、該柱材に支持されるフェンスが設けられ、
前記柱固定部には、前記フェンスの側端部の下端部が取り付け部材を介して取り付けられていることを特徴とする床材と柱材の接合構造。
【請求項６】
請求項１〜５のいずれかに記載の床材と柱材の接合構造において、前記柱材、床材のうち少なくとも一つは、セルロース系微粉粒と樹脂と顔料とを混合し、この混合材料を溶融させて成形することで形成されていることを特徴とする床材と柱材の接合構造。
【請求項７】
請求項５記載の床材と柱材の接合構造において、前記柱材、床材及びフェンスのうち少なくともフェンスは、セルロース系微粉粒と樹脂と顔料とを混合し、この混合材料を溶融させて成形することで形成されていることを特徴とする床材と柱材の接合構造。
【発明の詳細な説明】
【０００１】
【発明の属する技術分野】
本発明は、床部を構成する床材の上部に柱を設けた床材と柱材の接合構造に関し、詳細には、家屋などの屋外に設置されるデッキ等の屋外床部を構成する床材柱材を設けた床材と柱材の接合構造に関するものである。
【０００２】
【背景の技術】
従来より、屋外に設置されるデッキ等の床部に取り付けられる柱の取り付け構造として、特開平７−２４７６４９号に開示のものがある。
この公報には、床板を並べて配設することにより形成された床版の上部に柱を接合する構成が開示されている。
この公報において柱を床版に設ける概略構成は、柱の下端部に下方に突出する凸部を設け、この凸部をデッキ床版の周縁部を切り欠いて形成された切り欠き部に挿入し、デッキ床版の下側位置で、凸部の下端部をデッキ床版の外周に設けられた幕板に固定している。
【０００３】
【発明が解決しようとする課題】
しかし、上記構成では、床板により構成される床版の周縁部に切り欠き部を設け、この切り欠き部に、柱に設けられた凸部を挿入し、該凸部の下端部をデッキ床版の外周に儲けられた幕板に固定する構成であるので、柱をデッキの周縁部にしか設けることができない、
さらに、床版を構成する床板の軽量化を図り、該床板を中空のものとした場合、上記構成では、中空の床板に柱の下端部の凸部を挿入する構成となり、十分に柱を支持することができない。
【０００４】
本発明は上記事情を鑑みてなされたもので、その目的とするところは、床部を構成に中空の床材を用いた場合でも、この床部のどの位置にでも柱を設けることができるとともに、この床部に設けられた柱を十分に支持することができる床材と柱材の接合構造を提供することにある。
【０００５】
【課題を解決するための手段】
以上の課題を解決すべく請求項１記載の発明は、例えば、図２に示すように、中空部２１を有する床材２０Ａの上部に接合手段５を介して柱材３Ａが接合された床材２０Ａと柱材３Ａの接合構造において、前記接合手段５は、前記床材２０Ａの上下にそれぞれ設けられた床上部材５０と床下部材５２と、前記床材２０Ａに挿通されて前記床上部材５０と床下部材５２とを連結することにより、該床上部材５０と床下部材５２とを前記床材２０Ａに、それを挟持した状態で固定する連結部材５５と、前記床上部材５０に設けられ、前記柱材３Ａに固定される柱固定部５１と、を備え、この柱固定部５１に柱材３Ａが固定されており、
前記床材２０Ａの両側のうち少なくとも一方の側方に、前記床材２０Ａとともに床面を形成する他の床材２０Ｂが配設され、前記床下部材５２は、前記他の床材２０Ｂの下部２７に延出され該他の床材２０Ｂの下面２７ａに当接しているものである。
請求項２に記載の発明は、例えば、図２及び図３に示すように、中空部２１を有する床材２０Ａの上部に接合手段５を介して柱材３Ａが接合された床材２０Ａと柱材３Ａの接合構造において、前記接合手段５は、前記床材２０Ａの上下にそれぞれ設けられた床上部材５０と床下部材５２と、前記床材２０Ａに挿通されて前記床上部材５０と床下部材５２とを連結することにより、該床上部材５０と床下部材５２とを前記床材２０Ａに、それを挟持した状態で固定する連結部材５５と、前記床上部材５０に設けられ、前記柱材３Ａに固定される柱固定部５１と、を備え、この柱固定部５１に柱材３Ａが固定されており、
前記連結部材５５はＵ字状に形成され、該Ｕ字状の連結部材５５の中央部５５１が前記床上部材５０に係止される上端部となり、前記中央部５５１の両側から該中央部５５１の延在方向とほぼ直交するように互いに平行に延出され、且つ前記床材２０Ａに挿通された両腕部５５２，５５２の先端部５５２ａ，５５２ａが前記床下部材５２に締結されているものである。
【０００６】
前記柱材３Ａにかかる荷重は前記柱固定部５１に伝わり、この柱固定部５１から床上部材５０に伝わることになる。そして、この床上部材５０は床下部材５２とともに連結部材５５により前記床材２０Ａに固定されているので、柱材３Ａからの荷重はこれら床上部材５０、床下部材５２及び連結部材５５を介して床材２０Ａに伝えられる。
【０００７】
請求項１記載の床材と柱材の接合構造にあっては、前記中空部２１を有する床材２０Ａの上下にそれぞれ設けられた床上部材５０と床下部材５２とが、前記床材２０Ａに挿通された連結部材５５により連結されて、前記床材２０Ａに、それを挟持した状態で固定され、前記床上部材５０に設けられた柱固定部５１に柱材３Ａが固定されているので、該柱材３Ａは、前記床下部材５２を介して前記床材２０Ａに強固に取り付けられている。したがって、従来と異なり、床材２０Ａにより形成される床版の周縁部以外のところに柱を設けることができ、床材２０Ａに設けられた柱材３Ａを十分支持することができる。また、床材２０Ａが中空部２１を有するものであっても、前記柱材３Ａを前記床材２０Ａに強固に取り付け付けることができる。また、床材２０Ａの上下に床上部材５０と床下部材５２を配置して、これらを連結部材５５で連結して、床材２０Ａを挟持した状態で、該床材２０Ａに固定し、前記床上部材５０の柱固定部５１に柱材３Ａを固定すれば、該柱材３Ａを強固に前記中空部２１を有する床材２０Ａに設けることができる。
また、前記床下部材５２は、前記床材２０Ａの両側のうち少なくとも一方の側方に配設され、前記床材２０Ａとともに床面を形成する他の床材２０Ｂの下部２７に延出され該他の床材２０Ｂの下面２７ａに当接しているので、柱固定部５１、床上部材５０及び連結部材５５を介して伝わる柱材３Ａからの荷重が、前記床材２０Ａとともに前記他の床材２０Ｂに伝わる。したがって、柱材３Ａからの荷重が床材２０Ａと他の床材２０Ｂとに分散されることになり、前記床材２０Ａ上部の柱材３Ａは前記床材２０Ａと他の床材２０Ｂとで支持された状態となり、これら床材２０Ａ，２０Ｂにより前記柱材３Ａがより一層強固に支持されたものとなる。
また、床材２０Ａの両側に他の床材２０Ｂ、２０Ｃを配置し、前記床下部材５２が、他の床材２０Ｂ、２０Ｃの両方の下部に延出され、これら他の床材２０Ｂ、２０Ｃの下面にそれぞれ当接した構成とすれば、柱材３Ａからの荷重が、前記床下部材５２を介して床材２０Ａから両側の他の床材２０Ｂ、２０Ｃに伝わり、床材２０Ａ，２０Ｂ，２０Ｃで支持された状態となる。よって、柱材３Ａと床材２０Ａとが一層強固に接合された状態となる。
また、請求項２記載の床材２０Ａと柱材の接合構造にあっては、連結部材５５がＵ字状に形成され、該Ｕ字状の連結部材５５の中央部が前記床上部材５０に係止され、前記中央部５５１の両側の両腕部５５２，５５２の先端部５５２ａ，５５２ａが前記床下部材５２に締結されているので、前記床材２０Ａの上下にそれぞれ床上部材５０と床下部材５２とを設けて、前記Ｕ字状の連結部材５５の両腕部５５２，５５２を床上部材５０の上方から該床上部材５０と床材２０Ａとに挿通させて前記両腕部５５２，５５２の先端部５５２ａ，５５２ａを前記床下部材５２に締結させるだけで、床上部材５０と床下部材５２とを、床材２０Ａに２箇所で連結し、２箇所で床材２０Ａを挟持した状態で固定させることができる。したがって、前記床上部材５０と床下部材５２とを、前記床材２０Ａに、それを強固に挟持させた状態で、一層強固に固定させることができる。
【０００８】
請求項３記載の発明は、請求項１または２記載の床材と柱材の接合構造において、例えば、図２に示すように、前記柱材３Ａは該柱材３Ａの軸方向に延在する中空部３１を有し、前記床上部材５０及び柱固定部５１は、前記柱材３Ａの中空部３１内に配置され、前記柱固定部５１は、前記中空部３１を囲む内周壁３５に固定され、前記連結部材５５は、前記床上部材５０の上方から該床上部材５０及び前記床材２０Ａに挿通され、上端部（例えば、中央部５５１）が前記床上部材５０に係止されるとともに、下端部（例えば、両腕部５５２の先端部５５２ａ，５５２ａ）が前記床下部材５２に固定されているものである。
【０００９】
請求項３記載の床材２０Ａと柱材の接合構造にあっては、前記床上部材５０と前記柱固定部５１とが前記柱材３Ａの中空部３１内に配置され、前記柱固定部５１は、前記中空部３１を囲む内周壁３５に固定され、前記連結部材５５は、前記床上部材５０の上方から該床上部材５０及び前記床材２０Ａに挿通され、上端部５５１が前記床上部材５０に係止されるとともに、下端部５５２ａが前記床下部材５２に固定されているので、接合手段５の備える床上部材５０、柱固定部５１及び連結部材５５が柱材３Ａにより覆われた状態となり、外部に露出することがない。よって、床材２０Ａと柱材３Ａとの接合部分のスッキリとして見栄えがよい。
【００１０】
また、前記連結部材５５は、前記床上部材５０の上方から該床上部材５０及び前記床材２０Ａに挿通され、上端部５５１が前記床上部材５０に係止されるとともに、下端部５５２ａが前記床下部材５２に固定されているので、前記床上部材５０と床下部材５２は、前記床上部材５０の上方から連結部材５５を下方に挿通させて前記床下部材５２に固定するだけで、前記床材２０Ａに、それを挟持した状態で固定される。
よって、接合手段５により前記柱材３Ａを前記床材２０Ａに設ける作業を容易に行うことができる。
【００１１】
請求項４記載の発明は、請求項３記載の床材２０Ａと柱材の接合構造において、例えば、図２に示すように、前記柱固定部５１は、前記柱材３Ａの中空部３１に挿通されて該中空部３１を囲む前記柱材下端部３１の内周壁３５に当接して固定される外周壁５１１を備えたものである。
【００１２】
請求項４記載の床材２０Ａと柱材の接合構造にあっては、前記柱固定部５１は、前記柱材３Ａの中空部３１に挿通されて該中空部３１を囲む前記柱材３Ａ下端部３３の内周壁３５に当接して固定される外周壁５１１を備えているので、前記柱材３Ａと前記柱固定部５１との接合面が大きくなり、且つ前記柱固定部５１の外周壁５１１に前記柱材３Ａの下端部３３が外嵌された状態となり、前記柱材３Ａは前記柱固定部５１により強固に固定された状態となる。したがって、請求項２の発明よりも、前記中空部２１を有する床材２０Ａと、この床材２０Ａ上部に設けられる前記柱材３Ａとが一層強固に接合されたものとすることができる。
【００１８】
請求項５記載の発明は、請求項１〜４のいずれかに記載の床材２０Ａと柱材の接合構造において、例えば、図２に示すように、前記柱材３Ａの側方には、該柱材３Ａに支持されるフェンス４が設けられ、前記柱固定部５１には、前記フェンス４の側端部の下端部（例えば、フェンス４の下枠部４２の一端部４２ａ）が取り付け部材６を介して取り付けられているものである。
【００１９】
請求項５記載の床材２０Ａと柱材の接合構造にあっては、前記柱材３Ａに支持されるフェンス４の荷重が取り付け部材６を介して柱固定部５１に伝わりこの柱固定部５１から床上部材５０に伝わる。したがって、フェンス４は取り付け部材６を介して柱を床材２０Ａに接合する接合手段５の一部である前記柱固定部５１及び床上部材５０と一体化された状態となり、該フェンス４は柱固定部５１及び床上部材５０を介して前記接合手段５により前記床材２０Ａに柱材３Ａととともに支持された状態となる。よって前記フェンス４は、前記接合手段５を介して床材２０Ａに柱材３Ａとともに支持され、柱材３Ａに別途フェンス４を支持するための部材を設ける必要がなくなる。つまり、部品点数を少なくさせて合理的な床材と柱材の接合構造となる。
【００２０】
請求項６記載の発明は、請求項１〜５のいずれかに記載の床材２０Ａと柱材の接合構造において、前記柱材３Ａ、床材２０Ａのうち少なくとも一つは、セルロース系微粉粒と樹脂と顔料とを混合し、この混合材料を溶融させて成形することで形成された木質様を有するものである。
【００２１】
ここで、前記セルロース系微粉粒は、例えば、木材の粗粉砕物、バカスの祖粉砕物、稲藁の粗粉砕物等における各種植物細胞体の原料材粗粉砕物を出発原料とし、これを磨砕処理することによって得ることができる。
【００２２】
磨砕処理とは、粉砕処理と研磨処理とを併せ持つ処理を言うものであり、これら粉砕処理と研磨処理とを同時に行う処理であっても、粉砕処理を行った後、研磨処理を行う二工程からなる処理であってもよい。すなわち、ここで言う磨砕処理とは、後述するように、粗粉砕物から微粉砕物にする粉砕処理と、微粉際された粉粒を、繊維状態のものが絡み合い、その表面が繊毛で覆われている状態の粉粒形状から、表面に繊毛が少ない状態となるように表面研磨する研磨処理とを併せた処理を指している。
【００２３】
また、前記樹脂としては、一旦は製造された樹脂をも含めた、硬質樹脂、軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂がより好適である。
ここで、一旦は製造された樹脂とは、ペットボトルやビニールシートのように成形品として一旦は機能したもの（リサイクルされたもの）の他、成形時に不良となったもの、成形時・加工時などに生じる端材のことである。
【００２４】
さらに、前記顔料としては、カドミウムイエロー、酸化鉄、カーボンブラックなどの黄色、赤色、黒色の三色の無機顔料からなり、得られる製品の生地自体における色および木目模様の色に応じて適宜選択して用いられる。
【００２５】
そして、前記柱材３Ａ及び床材２０Ａの少なくとも一つは、前記混合材料を用いて成形され形成されるものであるので、木質感に加えて、表面上には天然の木目に極めて近い木目模様が形成される。また、前記セルロース系微粉粒は、直径が１〜１００μｍの粒径状をなすものであり、従来のような繊毛上の突出部分がないので、従来の木粉のごとく水（湿気を含む）、溶剤等を吸着することのない、防水性、防腐性を持った木質様製品として形成される。
【００２６】
請求項６記載の床材と柱材の接合構造によれば、前記柱材３Ａ及び床材２０Ａのうちの少なくとも一つが、セルロース系微粉粒と樹脂と顔料とを混合し、この混合材料を溶融させて成形することで形成された、防水性、防腐性を有する木質様を有するものとなる。また、床材２０Ａ及び柱材の両者をセルロース系微粉粒と樹脂と顔料とを混合し、この混合材料を溶融させて成形されたものとすれば、防水性、防腐性を備えた木質様を有する床材２０Ａ及び柱材３Ａを有する構造となり、見栄えのよい構造となる。
【００２７】
請求項７記載の発明は、請求項５記載の床材と柱材の接合構造において、前記柱材３Ａ、床材２０Ａ及びフェンス４のうち少なくともフェンス４は、セルロース系微粉粒と樹脂と顔料とを混合し、この混合材料を溶融させて成形することで形成された木質様を有しているものである。
【００２８】
請求項７記載の床材２０Ａと柱材の接合構造によれば、前記柱材３Ａ、床材２０Ａ及びフェンス４のうちの少なくともフェンス４が、セルロース系微粉粒と樹脂と顔料とを混合し、この混合材料を溶融させて成形することで形成された、防水性、防腐性を有する木質様を有するものとなる。したがって、前記フェンス４とともに床材２０Ａ及び柱材３Ａも、セルロース系微粉粒と樹脂と顔料とを混合し、この混合材料を溶融させて成形されたものとした場合、防水性、防腐性を備えた木質様を有する床材２０Ａ、柱材３Ａ及びフェンス４を有する構造となり、見栄えのよいものとなる。
【００２９】
【発明の実施の形態】
以下に、本発明に係る床材と柱材の接合構造の実施の形態例を図１から図４に基づいて説明する。
先ず、図１は本発明に係る床材と柱材の接合構造が適用されたテラスの全体斜視図、図２は同テラスにおいて柱材３Ａと床材２０Ａとの接合構造の要部を示す図であり、床材と柱材の接合部分の概略断面図、図３は柱材３Ａと床材２０Ａとの接合部分の分解斜視図、図４は図１におけるテラスにおける柱材３Ｂと床材２０Ｂとの接合部分の分解斜視図である。
【００３０】
このテラス１は、中空部２１を有する長尺の床材２０…を複数一葉に並べて形成された床部２と、この床部２の上部に設けられた柱材３…と、この柱材３…により側方から挟まれた状態で支持されているフェンス４…とを備えている。
図１〜図４に示すように、床部を構成する複数の床材２０は、板状に成形されており、これらの上面が床部２の床面を形成している。また、図示しないがこれら床材２０…は基礎上に設けられた束により支持されている大引き上に設けられている。
【００３１】
柱材３（以下、便宜上３Ａ，３Ｂ，３Ｃの符号を付す）はそれぞれ長尺の部材からなり、図２及び図３の柱材３Ａを用いて説明すると、柱材の軸方向に延在する中空部３１を有した角筒形状をなしている。そして、柱材３Ａの中空部３１１は軸方向に延在する断面十字状の仕切り壁部３２によってそれぞれ４つに仕切られている。
つまり、断面十字状の仕切り壁３２部は、柱材３Ａ内において、角筒状の柱材３Ａの有する内周壁３５のうち対向する内壁間に設けられたＸ辺部３２ａとＹ辺部３２ｂとが交差して形成された状態となっている。また、仕切り壁部３２は、柱材３Ａの両端部において両端からそれぞれ所定の長さ分内側のところまで延在するように設けられ、上端では、上方から填め込まれた蓋部３４が係止され、柱材３Ａの上端の開口を塞いでいる。このように中空部３１を有する柱材３Ａは、内部に断面十字状の仕切り壁部３２が設けられているので、該仕切り壁部３２により補強された状態となり、これら仕切り壁部３２がない柱材よりも強度の向上が図られている。
【００３２】
フェンス４は、水平方向に延在し、上下に離間して互いに平行な上下枠部４１，４２の両端部４１ａと４２ａ，４１ｂと４２ｂ間に、鉛直方向に延在する左右枠部４３，４４を架設して形成された枠体４５と、この枠体４５内部に複数の桟材４６ａ…が縦横に格子状に組まれて形成された格子部４６とからなる。
そしてフェンス４の上下枠部４１，４２の両端部４１ａ，４１ｂ，４２ａ，４２ｂのそれぞれの端面が、柱材３Ａ，３Ｂの側面に当接するように取り付けられ、これら両端部４１ａ，４１ｂ，４２ａ，４２ｂが柱材３Ａ，３Ｂに連結されることにより柱材３Ａ，３Ｂに支持されている。なお、フェンス４Ａ，４Ｂもフェンス４と同様に構成されているので説明は省略する。
【００３３】
なお、上記床部２を構成する床材２０、柱材３及びフェンス４を構成する上下左右枠部４１，４２，４３，４４及び格子部４６を構成する縦横の桟材４６ａ…はそれぞれ、セルロース系微粉粒と樹脂と顔料とを混合し、この混合材料を溶融させて成形することで形成された木質様を備えた部材となっている。よって、防水性、防腐性を有するとともに、ウッドデッキ等のような木質観を有するものとなっている。
【００３４】
そして、床部２を構成する床材２０…のうち所定の床材（図１では２０Ａ，２０Ｂ）の上部に、それぞれ後述する接合手段５（図２〜４参照）を介して柱材３Ａ，３Ｂ，３Ｃが設けられている。これら柱材３Ａ，３Ｂ，３Ｃと床材２０Ａ，２０Ｂとの接合は、ほぼ同様に行われているので、以下では本発明に係る床材と柱材の接合構造として柱材３Ａと床材２０Ａの接合部分に基づいて説明する。
【００３５】
図１〜図３に示すように、中空部２１を有する床材２０Ａの上部には、接合手段５を介して柱材３Ａが接合されている。
接合手段５は、前記床材２０Ａの上下にそれぞれ設けられた床上部材５０と床下部材５２と、床材２０Ａに挿通されて床上部材５０と床下部材５２とを連結することにより、該床上部材５０と床下部材５２とを床材２０Ａに、それを挟持した状態で固定する連結部材５５と、床上部材５０に設けられ、柱材３Ａに固定される柱固定部５１とから概略構成されている。
【００３６】
床上部材５０は板状に形成され、床材２０Ａの上部に配置されており、下面が床材２０Ａの上面に当接されて柱材３Ａの中空部３１内に配置された状態となっている。
また、この床上部材５０には上下方向に貫通する貫通孔（図示省略）が形成されており、この貫通孔には、連結部材５５の両腕部５５２，５５２が挿通されている。また、この貫通孔は床上部材５０の所定の位置に形成され、図３に示す床材２０Ａに設けられた床材貫通孔２３と対応している。この実施の形態では４箇所、正方形の頂点部分を形成するように配置され、２つの連結部材５５の両腕部５５２，５５２がそれぞれ挿通されるようになっている。
【００３７】
連結部材５５は、Ｕ字状に形成され、中央部５５１と、この中央部５５１の両側から該中央部５５１の延在方向とほぼ直交するように互いに平行に延出された両腕部５５２，５５２とを有する。これら両腕部５５２，５５２の先端部５５２ａ，５５２ａにはそれぞれ雄ねじ部が切られている。
そして、これら両腕部５５２，５５２は、上述した床上部材５０の上方から該床上部材５０の貫通孔に挿通され、中央部５５１は床上部材５０の上面で係止された状態となっている。
【００３８】
また、両腕部５５２の先端部５５２ａ，５５２ａは、床上部材５０の貫通孔（図示省略）と床材２０の床材貫通孔２３，２３に挿通されて床材２０Ａの下方で、該床材２０Ａの下面から突出している。
この突出した先端部５５２ａ，５５２ａは、床下部材５２に形成されたボルト孔５２１ａ〜５２１ｌ（後述する）のうち床下部材５２のほぼ中央部に形成された所定のボルト孔５２１ｅ、５２１ｆ、５２１ｇ，５２１ｈに挿通され、ナット５５４…を螺合することにより床下部材５２に、該床下部材５２のほぼ中央部で締結されている。
【００３９】
この床下部材５２は板状に形成され、上記連結部材５５の両腕部５５２，５５２の先端部５５２ａ，５５２ａが挿通される多数のボルト孔５２１ａ〜５２１ｌを備えている。
これらボルト孔５２１ａ〜５２１ｌは、床下部材５２に、Ｕ字状の連結部材５５の両腕部５５２，５５２の間隔に対応して形成されている。なお、これらボルト孔５２１ａ〜５２１ｌは、一対のＵ字状の連結部材５５，５５、床上部材５０及び柱固定部５１を介して、左右と中央の三箇所の上方で、柱材を支持可能となっている。
また、この床下部材５２は、床材２０Ａの延在方向と直交する方向に延在しており、両端部５２ａ，５２ｂが、床材２０Ａの両側に配置されている他の床材２０Ｃ，２０Ｄの下部に配置され、これら両端部５２ａ，５２ｂの上面はそれぞれ床材２０Ｃ，２０Ｄの下面に当接している。
【００４０】
柱固定部５１は、床上部材５０の外周縁から上方に立ち上がるように設けられた外周壁５１１と、外周壁５１１のそれぞれの壁部に形成された切り欠き部５１２と、柱材３Ａと外周壁５１１とを固定するためのボルトが螺合されるボルト受部５１５…とを備え、柱材３Ａの下端部３３の内周壁３５に固定されている。
この外周壁５１１は、該中空部３１を囲む柱材３Ａ下端部３３の内周壁３５に当接して固定されている。
また、切り欠き部５１２…は、外周壁５１１が柱材３Ａの中空部３１内でＸ辺部３２ａ、Ｙ辺部３２ｂに外嵌されている。よって、床上部材５０を柱材３Ａの下端部３３内に挿入する際、Ｘ辺部３２ａ、Ｙ辺部３２ｂが切り欠き部５１２…に沿って移動し、これらＸ辺部３２ａ、Ｙ辺部３２ｂがガイドとなって床上部材５０挿入しやすくなっている。
【００４１】
また、ボルト受部５１５は、該外周壁５１１を柱材３Ａの中空部３１を囲む内周壁３５に固定するためのものであり、外周壁５１１に複数設けられている。
そして、このボルト受部５１５は、外周壁５１１に形成されたボルト孔５１５ａ…と、外周壁５１１の内側で、ボルト孔５１１ａ…と同一軸線上となるように溶接されたナット５１５ｂとを備えている。
この柱固定部５１では、外周壁５１１が柱材３Ａ内に挿入され、該柱材３Ａの外方からボルト３６を柱材３Ａに形成されたボルト穴３７…と外周壁５１１のボルト孔５１５ａに挿通してナット５１５ｂに締め込むことにより、柱材３Ａの下端部３３を外周壁５１１に固定している。これにより柱材３Ａは柱固定部５１に固定され、該柱固定部５１と一体に形成されている床上部材５０に固定された状態となる。
【００４２】
なお、このボルト３６は柱材３Ａの外面で断面Ｌ字状の下アングル材６１の一方の面部６１１を固定し、他方の面部６１２がほぼ水平に配置された状態となっている。そして、この他方の面部６１２の上面には、フェンス４の下枠部４２の一端部４２ａが載置されており、下枠部４２と他方の面部６１２とはボルト６２…により結合されている。なお、図示しないが下枠部４２にはボルト６２が螺着される螺合部が設けられている。これら下アングル材６１、ボルト６２…、ボルト３６…により取り付け部材６が構成されている。
【００４３】
また、このフェンス４の上枠部４１の端部４１ａは、柱材３Ａの上部の側面に断面Ｌ字状の上アングル材６５を介して取り付けられている。
この上アングル材６５は、一方の面部６５１が柱材上端部の側面に、他方の面部６５２が水平に位置されるように取り付けられている。
詳細には、柱材３Ａの上端側面の所定の位置に、一端部から他端部に向かってビス等の止着部材６７を螺合することができる受け材６６が、軸が水平となるように打ち込まれて固定され、この受け材６６の挿入孔が柱材３Ａの側方に臨むように配置されている。このように取り付けられた受け材６６に止着部材６７を介して上アングル材６５の一方の面部６５１が固定されている。そして、他方の面部６５２にフェンスの上枠部４１の一端部４１ａを載置して固定することにより、フェンス４は柱材３Ａに固定された状態となっている。
【００４４】
上記構成によれば、中空部２１を有する床材２０Ａの上下にそれぞれ設けられた床上部材５０と床下部材５２とが、床材２０Ａに挿通された連結部材５５により連結されて、床材２０Ａに、それを挟持した状態で固定され、床上部材５０に設けられた柱固定部５１の外周壁５１１に柱材３Ａが固定されているので、柱材３Ａは、床下部材５２を介して床材２０Ａに強固に取り付けられ、従来と異なり、床材２０Ａにより形成される床版の周縁部以外のところに柱を設けることができ、床材２０Ａに設けられた柱材３Ａを十分支持することができる。
【００４５】
さらに、床上部材５０と外周壁５１１とが柱材３Ａの下端部３３の中空部３１内に配置され、外周壁５１１は、中空部３１を囲む内周壁３５に当接して固定され、連結部材５５は、床上部材５０の上方から該床上部材５０及び床材２０Ａに挿通され、中央部５５１が床上部材５０に係止されるとともに、両腕部５５２，５５２の先端部５５２ａ，５５２ａが床下部材５２にナット５５４を介して固定されているので、床上部材５０、柱固定部５１及び連結部材５５は、柱材３Ａにより覆われた状態となり、外部に露出することがなく、床材２０Ａと柱材３Ａとの接合部分のスッキリとして見栄えがよいものとなっている。
【００４６】
また、床上部材５０と床下部材５２は、床上部材５０の上方から連結部材５５を下方に挿通させて床下部材５２に固定するだけで、床材２０Ａに、それを挟持した状態で固定されることにより、柱材３Ａを床材２０Ａに設ける作業を容易に行うことができる。
【００４７】
さらに、外周壁５１１が柱材３Ａの中空部３１に挿通されて該中空部３１を囲む柱材３Ａ下端部３３の内周壁３５に当接して固定されるので、柱材３Ａと柱固定部５１との接合面が大きくなり、且つ外周壁５１１に柱材３Ａの下端部３３が外嵌された状態となり、柱材３Ａは柱固定部５１により強固に固定された状態となっている。
【００４８】
また、床下部材５２は、床材２０Ａの両側に配設され、床材２０Ａとともに床面を形成する他の床材２０Ｂ，２０Ｃの下部に延出され該他の床材２０Ｂ，２０Ｃの下面にそれぞれ当接しているので、柱固定部５１、床上部材５０及び連結部材５５を介して伝わる柱材３Ａからの荷重が、床材２０Ａとともに他の床材２０Ｂに伝わる。よって、柱材３Ａからの荷重が床材２０Ａと他の床材２０Ｂ，２０Ｃとに分散されることになり、床材２０Ａ上部の柱材３Ａは床材２０Ａと他の床材２０Ｂ，２０Ｃとで支持された状態となり、これら床材２０Ａ，２０Ｂ，２０Ｃにより柱材３Ａがより一層強固に支持されたものとなる。
【００４９】
また、連結部材５５がＵ字状に形成され、該Ｕ字状の連結部材５５の中央部５５１が床上部材５０に係止され、中央部５５１の両側の両腕部５５２，５５２の先端部５５２ａ，５５２ａが床下部材５２に締結されているので、床材２０Ａの上下にそれぞれ床上部材５０と床下部材５２とを設けて、Ｕ字状の連結部材５５の両腕部５５２，５５２を床上部材５０の上方から該床上部材５０と床材２０Ａとに挿通させて両腕部５５２，５５２の先端部５５２ａ，５５２ａを床下部材５２に締結させるだけで、床上部材５０と床下部材５２とを、床材２０Ａに２箇所で連結し、２箇所で床材２０Ａを挟持した状態で固定させることができる。
したがって、床上部材５０と床下部材５２とを、床材２０Ａに、それを強固に挟持させた状態で、一層強固に固定させることができる。
【００５０】
さらにまた、柱材３Ａに支持されるフェンス４の荷重が下アングル材６１やボルト６２…、ボルト３６…を介して柱固定部５１に伝わりこの柱固定部５１から床上部材５０に伝わることにより、フェンス４は外周壁５１１及び床上部材５０と一体化された状態となり、フェンス４は外周壁５１１及び床上部材５０、連結部材５５、床下部材５２により床材２０Ａに柱材３Ａととともに支持された状態となる。よってフェンス４は、床材２０Ａに柱材３Ａとともに支持され、柱材３Ａに別途フェンス４を支持するための部材を設ける必要がなくなる。つまり、部品点数を少なくさせて合理的な床材と柱材の接合構造となる。
【００５１】
このように柱材３Ａは床材２０Ａに接合されており、その他の柱材３Ｂ，３Ｃも同様にして床材２０Ｂに、柱固定部５１が設けられた床上部材５０、床下部材５２及び連結部材５５を介して接合されている。なお、柱材３Ｂ，３Ｃは床部２の端部を構成している床材２０Ｂに接合されているため、床下部材５２の配置が、柱材３Ａを接合する場合と若干異なっている。
これを図４を用いて説明する。なお、上述した柱材３Ａと床材２０Ａとの接合に用いた同様の構成要素には同符号を振って説明は省略する。
【００５２】
図４に示すように柱材３Ｂは、床部の右縁部を構成する床材２０Ｂに、柱固定部５１が設けられた床上部材５０、床下部材５２及び連結部材５５を介して接合されている。そして、柱材３Ｂの直交する側面にフェンス４、フェンス４Ｂが上アングル材６５、下アングル材６１を介してそれぞれ取り付けられている。
つまり、この構造においては、それぞれのフェンス４，４Ｂのそれぞれの上枠部４１，４１の一端部４１ｂ，４１ｃが、上アングル材６５，６５を介して柱材３Ｂの直交する側面に固定されている。
また、下枠部４２，４２が、下アングル材６１，６１の他方の面部６１２，６１２に載置された状態でボルト６２…により固定されている。そして、下アングル材６１，６１の一方の面部６１１，６１１が柱材３Ｂの直交する側面に当接した状態で、該一方の面部６１１，６１１をボルト３６…を介して、柱材３Ｂと、柱材３Ｂ内に配設されている床上部材５０の柱固定部５１の外周壁５１１とに連結されている。
【００５３】
床上部材５０は、上述したように２つのＵ字状の連結部材５５，５５を上方から挿通し、中央部が床上部材５０の上面に係止されており、両腕部は床上部材５０及び床材２０Ｂに挿通されている。
そして、連結部材５５，５５のそれぞれの両腕部の先端部は、床下部材５２の右側にナット５５４…により締結されている。これにより床上部材５０と床下部材５２は床材２０Ｂは連結部材５５，５５を介して床材２０Ａを挟持し、該床材２０Ａに固定された状態となっている。
【００５４】
詳細には、床下部材５２と連結部材５５，５５とは、連結部材５５，５５の両腕部の先端部を床下部材５２の右側の４つのボルト孔５２１ｉ〜５２１ｌにそれぞれ挿通してナット５５４…を螺合することにより締結されている。よって、床下部材５２は、床材２０Ｂと、床材２０Ｂの一方の側方（図では左側）に配置された床材２０Ｄの下部に延出された状態となっており、上面が床材２０Ｄの下面に当接されている。これにより床下部材５２の右側端部が床部の右側縁部より右側に突出しないようになっている。
【００５５】
なお、以上の実施の形態例においては、柱材を中空のものとしたが、本発明はこれに限定されるものではなく、下端部に柱固定部が挿入されるように形成された角柱の柱材としてもよい。
また、床材２０、柱材３、フェンス４等を木質様を備えたものとして構成したが、これに限らず、鋼製としたり樹脂のみで構成されていてもよい。
また、仕切り壁の形態は十字状でなくてもよく、例えば、互いに直交する内壁面の中央部間に、柱材の延在方向に仕切り壁を架設した構成としてもよい。
さらに、柱材には仕切り壁が設けられていなくてもよい。また、ボルト等も同様の作用効果をもたらすように形成されていれば任意であり、その他、具体的な細部構造等についても適宜に変更可能であることは勿論である。
【００５６】
【発明の効果】
以上のように、請求項１記載の発明に係る床材と柱材の接合構造によれば、柱材は、前記床下部材を介して前記床材に強固に取り付けられていることにより、従来と異なり、床材により形成される床版の周縁部以外のところに柱を設けることができ、床材に設けられた柱材を十分支持することができる。また、床材が中空部を有するものであっても、前記柱材を前記床材に強固に取り付け付けることができる。
また、前記柱固定部、床上部材及び連結部材を介して伝わる柱材からの荷重が、前記床材とともに前記他の床材に伝わり、前記柱材からの荷重が床材と他の床材とに分散され、前記床材上部の柱材は前記床材と他の床材とで支持された状態となり、これら床材により前記柱材がより一層強固に支持されたものとなる。また、床材の両側に他の床材を配置し、前記床下部材が、他の床材の両方の下部に延出され、これら他の床材の下面にそれぞれ当接した構成とすれば、柱材と床材とが一層強固に接合された状態となる。
請求項２記載の発明に係る床材と柱材の接合構造によれば、前記床上部材と床下部材とを、床材に２箇所で連結し、２箇所で床材を挟持した状態で固定させることができ、前記床上部材と床下部材とを、前記床材に、それを強固に挟持させた状態で、一層強固に固定させることができる。
【００５７】
請求項３記載の床材と柱材の接合構造によれば、請求項１または２の発明と同様の効果を得ることができるとともに、前記接合手段の備える床上部材、柱固定部及び連結部材が柱材により覆われた状態となり、外部に露出することがなく、床材と柱材との接合部分のスッキリとして見栄えがよい。また、接合手段５により前記柱材を前記床材に設ける作業を容易に行うことができる。
【００５８】
請求項４記載の床材と柱材の接合構造によれば、請求項３の発明よりも、前記中空部を有する床材と、この床材上部に設けられる前記柱材とが一層強固に接合されたものとすることができる。
【００６１】
請求項５記載の床材と柱材の接合構造によれば、請求項１〜４のいずれかに記載の発明と同様の効果を得ることができるとともに、フェンスは取り付け部材を介して柱を床材に接合する接合手段の一部である前記柱固定部及び床上部材と一体化された状態となり、該フェンスは柱固定部及び床上部材を介して前記接合手段により前記床材に柱材ととともに支持された状態となる。
【００６２】
請求項６記載の床材と柱材の接合構造によれば、請求項１〜５のいずれかに記載の発明と同様の効果を得ることができるとともに、前記柱材及び床材のうちの少なくとも一つが、セルロース系微粉粒と樹脂と顔料とを混合し、この混合材料を溶融させて成形することで形成された、防水性、防腐性を有する木質様を有するものとなる。
【００６３】
請求項７記載の床材と柱材の接合構造によれば、前記柱材、床材及びフェンスのうちの少なくともフェンスが、セルロース系微粉粒と樹脂と顔料とを混合し、この混合材料を溶融させて成形することで形成された、防水性、防腐性を有する木質様を有するものとなる。
【図面の簡単な説明】
【図１】本発明に係る床材と柱材の接合構造が適用されたテラスの全体斜視図。
【図２】同テラスにおいて柱材３Ａと床材２０Ａとの接合構造の要部を示す図であり、床材と柱材の接合部分の概略断面図。
【図３】柱材３Ａと床材２０Ａとの接合部分の分解斜視図。
【図４】図１におけるテラスの柱材３Ｂと床材２０Ｂとの接合部分の分解斜視図。
【符号の説明】
２  床部
３，３Ａ，３Ｂ，３Ｃ  柱材
４，４Ａ，４Ｂ  フェンス
５  接合手段
６  取り付け部材
２０，２０Ａ，２０Ｂ，２０Ｃ，２０Ｄ  床材
２１  床材の中空部
３１  柱材の中空部
３３  柱材の下端部
３５  柱材の内周壁
３６  ボルト
５０  床上部材
５１  柱固定部
５５  連結部材
６１  下アングル材（取り付け部材）
６２  ボルト（取り付け部材）
５１１  外周壁
５５１  中央部（連結部材の上端部）
５５２  両腕部
５５２ａ  両腕部の先端部（連結部材の下端部）
【図１】
0004351338.tif 000002
【図２】
0004351338.tif 000003
【図３】
0004351338.tif 000004
【図４】
0004351338.tif 000005